(57)【特許請求の範囲】
【請求項１】
２本以上のボールペンリフィルを含む複数の筆記体を軸筒内に配置し、所望の筆記体を選択し、軸筒先端から筆記体の筆記部分を出没させる多芯筆記具において、前記軸筒の先端に配置する先金を金属で形成すると共に、前記先金の内面に先金の先端から後方に向かって、前記先金の先端孔の先端縁部を円周とする仮想円形面に対して垂直の壁部、凹状の曲面部、テーパ部の順で連続して形成し、前記ボールペンリフィルは、先端にボールペンチップを備え、そのボールペンチップは、先端部で回転自在にボールを抱持するためのチップ小口と、そのチップ小口の後方に向かって拡径するチップ斜面とチップストレート部を連設して有している多芯筆記具。
【請求項２】
前記曲面部のＲ（半径）が５〜１５ｍｍである請求項１記載の多芯筆記具
【請求項３】
前記先金内の曲面部とテーパ部が形成する変曲点の内径が３．０〜４．０ｍｍである請求項１記載の多芯筆記具。
【発明の詳細な説明】
【技術分野】
【０００１】
本願発明は複数のボールペンリフィルを内蔵し、リフィル選択式で且つ繰出し動作でボールペンリフィルを出没させるボールペンに関するものである。
【背景技術】
【０００２】
従来の回転繰出しでリフィルを選択し出没させるボールペンは、複数のリフィルを収納することと他の低価格のボールペンにはない繰出し構造を有することから、比較的高価格帯の製品である。さらにデザインを良くし高級感を持たせるために、軸を構成する材料を金属化し、この表面に塗装やめっきなどを施して加飾したりしている。また、軸材料が金属で強度があることからスリムでしかも重量感がある構造としていた。
【０００３】
また、複数のボールペンリフィルを収納し且つ筆記具本体をスリム化するために、インキ収容管を金属性のパイプとするのが一般的である。
【０００４】
さらに近年の動向として滑らかに筆記できる油性ボールペンと称して低粘度のインキを収納したボールペンリフィルが開発され、多くのボールペンに収納される様になって来た。
【先行技術文献】
【特許文献】
【０００５】
【特許文献１】特許第４８２９７５２号公報
【発明の概要】
【発明が解決しようとする課題】
【０００６】
しかし、リフィルを収納した状態で多芯筆記具を、特に横向き、或いは、ペン先を下にして（以降下向きと記載）落下させてしまうと、先金が金属であることから、ボールペンチップのチップ小口近傍が先金の内面と衝突してしまい、その衝撃でチップ小口が変形することがたびたびあった。チップ小口の変形により、ボールとチップ小口の間に隙間が生じ、この隙間を通ってインキがペン先の外側に移動し、漏れになっていた。特にペン先を下向きにして静置するとペン先にインキの付着が多くなり周囲を汚すこともあった。
【０００７】
また漏れにいたらなくても、チップ小口が変形することにより、ボールの回転が不均一になり、筆跡の方向性が生じ、滑らかに書くことが出来なくなっていた。
【０００８】
特許文献１は、リフィルの筆記先端部が出没する際に、先金の内面と接触してチップ小口が損傷および、不快音が生じるのを防止するために、先金内周面を被覆する樹脂被覆体を付設している。しかしながら、精度の高い別部品が必要で組立て工数も必要であり、製造コストの上昇につながり好ましくない。
【課題を解決するための手段】
【０００９】
本願発明は、２本以上のボールペンリフィルを含む複数の筆記体を軸筒内に配置し、所望の筆記体を選択し、軸筒先端から筆記体の筆記部分を出没させる多芯筆記具において、前記軸筒の先端に配置する先金を金属で形成すると共に、前記先金の内面に先金の先端から後方に向かって、前記先金の先端孔の先端縁部を円周とする仮想円形面に対して垂直の壁部、凹状の曲面部、テーパ部の順で連続して形成し、前記ボールペンリフィルは、先端にボールペンチップを備え、そのボールペンチップは、先端部で回転自在にボールを抱持するためのチップ小口と、そのチップ小口の後方に向かって拡径するチップ斜面とチップストレート部を連設して有していることを特徴としたことを要旨とする。
【発明の効果】
【００１０】
本願発明は、２本以上のボールペンリフィルを含む複数の筆記体を軸筒内に配置し、所望の筆記体を選択し、軸筒先端から筆記体の筆記部分を出没させる多芯筆記具において、前記軸筒の先端に配置する先金を金属で形成すると共に、前記先金の内面に先金の先端から後方に向かって、前記先金の先端孔の先端縁部を円周とする仮想円形面に対して垂直の壁部、凹状の曲面部、テーパ部の順で連続して形成し、前記ボールペンリフィルは、先端にボールペンチップを備え、そのボールペンチップは、先端部で回転自在にボールを抱持するためのチップ小口と、そのチップ小口の後方に向かって拡径するチップ斜面とチップストレート部を連設して有していることを特徴としたので、万が一、筆記具を落下させてもチップ小口に打痕等の変形が生じることが無いので、インキ漏れ等の発生を防止することが可能である。また、金属先金の内側は、ボールペンチップが他のボールペンチップと干渉することなく前後移動が可能な空間を確保していることから、繰出しにおいてもスムースな操作でボールペンリフィルを選択することが出来る。
【図面の簡単な説明】
【００１１】
【図１】本発明のボールペンリフィルの一例（半断面図）
【図２】ボールペンリフィルと金属先金の位置関係を示す図（断面図）
【図３】従来の金属先金とボールペンリフィルの位置関係を示す図
【図４】本願発明の実施形態の金属先金の断面図
【図５】図４のＢ部拡大図
【図６】本願発明の実施形態の金属先金の断面図（各部の説明）
【図７】図１のチップ先端の拡大図
【図８】図２（ｃ）の要部拡大図
【発明を実施するための形態】
【００１２】
図面に基づいて本発明を以下詳細に説明する。図６は、本発明に係わる構造を示す一例を示している。
【００１３】
ボールペンリフィル１は、ボールペンチップ２とインキ収容部３及びインキ３ａとグリス３ｂより成る。
ボールペンチップ２は、チップ本体２ａとそのチップ本体２ａの先端部に回転自在に抱持されたボール２ｂとより成る。
ボールペンチップ２のチップ斜面２ｃのテーパ角度は、３０度であるが、２５〜３５度が実用的な範囲である。
尚、チップ本体２ａ内においてボール２ｂの後方に、そのボール２ｂを前方へ付勢してチップ小口２ｄに圧接するスプリングを必要に応じて設けても良い。
【００１４】
インキ収容部３は、金属パイプであり、薄肉円筒状の長尺部材である。インキ収容部３の材質は強度、耐食性からステンレスが好ましい。インキ収容部３の寸法は、外径２．３０ｍｍ、内径１．８２ｍｍ、全長５８．５ｍｍである。外径が２．２９〜２．３２ｍｍ、内径が１．８１〜１．８５ｍｍ、全長が５８．４〜５８．６ｍｍであれば同様な効果が得られる。
【００１５】
インキ３ａは、油性、水性問わずボールペンインキが用いられる。そのインキ３ａの粘度は、油性で数万ｍＰ・ｓから水性で数百ｍＰ・ｓである。本発明は粘度によらず様々なインキ３ａが使用できる。
特にインキ粘度が数千ｍＰ・ｓ以下の低粘度の場合は、ボールペンチップ２のボール２ｂとチップ小口２ｄの隙間から毛管現象により漏れ易いことから、本願発明に適したものである。
【００１６】
チップ小口２ｄは、チップ本体２ａにボール２ｂを保持するためにカシメたボール２ｂ周辺の肉厚がごく薄いチップ本体２ａのボール２ｂに近い部分をいう。ボール２ｂとチップ小口２ｄの隙間からボールの回転によりインキ３ａが吐出し、筆記できるものである。チップ小口２ｄが磨耗しボール２ｂが保持できなくなるとボール２ｂが外側に飛び出てしまい、筆記できなくなってしまう。また落下等の衝撃により、チップ小口２ｄの変形によるボール２ｂとの間に不均一な隙間が生じるとボール２ｂの回転が不規則になり筆記方向性が生じたりインキ漏れが発生する。ちなみに、チップ小口２ｄは、チップ本体２ａの中でもっとも肉が薄く、強度が弱いという性質を有している。
【００１７】
多芯筆記具のボールペンリフィル１の出没は、前軸の後方に位置しクリップや消しゴム等が付属する後軸内に収納されている繰出し機構により行われる。従来の繰出し機構は、後軸と前軸を相対的に反対方向に回転させる回転力を回転繰出しカムを用いて前後移動の力に変え、ボールペンリフィル１のボールペンチップ２の前側の約半分を金属先金４の先端孔４ｄより突出させている。ボールペンリフィル１は繰出し機構内に内蔵するスプリングによりカムの係止が外れた時に後方に戻される。
【００１８】
次にボールペンチップ２の位置関係について説明する。従来の繰出し機構のカムの構造により、選択されたボールペンリフィル１のボールペンチップ２が金属先金４の先端孔４ｄから前側約半分が出ている時（筆記可能時）に、他のボールペンリフィル１は一番後退した位置に存在する。そしてボールペンリフィル１のボールペンチップ２が金属先金４内に収納された時（筆記不能時）の２本のボールペンリフィル１のボール２ｂは、金属先金４の先端の位置とボールペンリフィル１が一番後退した時のボール２ｂの位置との間に位置する。このことによりボールペンリフィル１収納時に多芯筆記具を落下させると本願発明以外の金属先金５を使用した場合は、ボールペンチップ２のチップ小口２ｄが金属先金４の内面に衝突し、チップ小口２ｄが破損する。
【００１９】
金属先金４は、銅合金（真鍮）やアルミニウム合金を用いてプレス、鍛造、切削加工等の方法で所望の形状に加工される。素材のままでは変色等の腐食が生じるのでめっきや塗装等の表面処理を行い実使用に耐えるようにする。
【００２０】
金属先金４の内面は、金属先金４の先端孔４ｄの縁部を円周とする仮想円形面４ｆに対して垂直の壁部４ａ、凹状の曲面部４ｂ、テーパ部４ｃからなる。垂直の壁部４ａと凹状の曲面部４ｂ、テーパ部４ｃの位置関係は、金属先金４の先端から後方に向かって垂直の壁部４ａと凹状の曲面部４ｂ、テーパ部４ｃの順で連続して形成されている。
垂直の壁部４ａは、ボールペンリフィル１を突出した時にボールペンチップ２のチップ本体２ａのチップストレート部２ｆを支え筆記時にペン先がガタガタしないように、チップ本体２ａ外径と垂直の壁部４ａの内径間に適度なクリアランス６が必要である。垂直の壁部４ａの内径とチップ本体２ａの外径のクリアランス６が小さすぎるとボールペンチップ２を出没させる時にチップ本体２ａのチップストレート部２ｆが金属先金４の先端孔４ｄに引っかかり、正常な動作が出来なくなることがある。逆に大き過ぎると筆記している時にボールペンチップ２がガタガタし非常に書きづらくなってしまう。クリアランス６は、片側０．０２ｍｍであるが、０．０１〜０．０４ｍｍの範囲において違和感がない筆記が出来る。
【００２１】
金属先金４内の凹状の曲面部４ｂの後方に形成されているテーパ部４ｃは、ボールペンリフィル１のボールペンチップ２が収納された位置から前進する時に最初にチップ本体２ａのチップ斜面２ｃが接触する場所である。この金属先金４内のテーパ部４ｃに導かれてボールペンチップ２が変曲点４ｅを通る時にチップ斜面２ｃ→チップ肩部２ｅ→チップストレート部２ｆ順に変曲点４ｅと接触し、金属先金４の先端孔４ｄから出てくるものである。このときチップ小口２ｄは金属先金４の内面に接触することはない。テーパ部４ｃの角度（図４のｄ寸法）は４５度であるが、２５〜５０度が好ましい。２５度より小さいと金属先金４内の空間が狭すぎて２本のボールペンリフィル１が相対的に前後に移動するときにボールペンチップ２がお互いが接触し易く、そのため繰出しトルクが重くなってしまう。逆に５０度より大きいとチップ肩部２ｅより先にチップ小口２ｄが金属先金４の内面に接触しやすくなり、落下の際にチップ小口２ｄに損傷を受けてしまう。
【００２２】
金属先金４内の凹状の曲面部４ｂは、垂直の壁部４ａとテーパ部４ｃの間に形成され、本願発明の特徴点でもある。凹状の曲面部４ｂは、チップ小口２ｄが金属先金４の内面に接触しないようにするためであり、また、繰出し操作が重くならない様に形成したものである。
鋭意研究の結果、凹状の曲面部４ｂの外側に膨らむ曲面のＲ（半径、図５のｃ寸法）の大きさは本実施例においては、９ｍｍであるが、５〜１５ｍｍの範囲であるならば同様な効果を奏する。前記曲面のＲが５ｍｍより小さいと凹の凹みが大きすぎてチップ小口２ｄが凹状の曲面部４ｂに接触し易くなる。また１５ｍｍより大きいと凹のへこみがほとんどなくテーパ部４ｃが垂直の壁部４ａまで続くことになる。そのため凹状の曲面部４ｂを形成したときよりも金属先金４の先端の空間が狭くなり、ボールペンリフィル１の出し入れの際に２つのボールペンチップ２が相対的に前後する際にボールペンチップ２の肩部２ｅが競り合うことになり、作動が重くなってしまうという問題がある
【００２３】
凹状の曲面部４ｂは、ボールペンリフィル１が収納され、特にボールペンチップ２のボール２ｂが金属先金４の先端から０．５〜４ｍｍの位置（図５のｂ寸法）にあるときにチップ小口２ｄが凹状の曲面部４ｂに接触させないために必要である。ボールペンチップ２の先端が金属先金４の先端から０．５〜４ｍｍの位置（図５のｂ寸法）にあるときに、多芯筆記具を下向きあるいは横向きに落下させた場合、チップ斜面２ｃが凹状の曲面部４ｂとテーパ部４ｃで作る変曲点４ｅに接触する。このことにより、チップ小口２ｄが金属先金４に接触することを防止することが出来るものである
【００２４】
凹状の曲面部４ｂとテーパ部４ｃで作る変曲点４ｅの内径（図４のｅ寸法）は、３．２５ｍｍであるが３．０〜４．０ｍｍの範囲であるならば効果がある。３．０ｍｍより小さいと金属先金４の内面空間が狭くなりすぎボールペンチップ２同士が擦れ合い、繰出しが重くなってしまい作動感が悪くなってしまう。また４．０ｍｍより大きいと落下の際にチップ小口２ｄが凹状の曲面部４ｂに衝突しやすくなり、チップ小口２ｄの変形による、インキ漏れが発生しやすくなってしまう。
【００２５】
ボールペンリフィル１を含む内蔵する複数の筆記体の先端は、繰出し動作により相対的に前後し、金属先金４内ですれ違いしている。そのすれ違いの位置は、金属先金４先端から２０ｍｍ以内の範囲である。金属先金４の先端から２０ｍｍ以内は先述したように内径が先端に向かって徐々に狭くなっており、ボールペンチップ２同士が接触し易くなる。つまり、すれ違いのタイミングが悪いと二つのボールペンチップ２が金属先金４内の凹状の曲面部４ｂより先端側の内径にはまり込んでしまい、動かなくなってしまう恐れがある。
本願発明の凹状の曲面部４ｂを有する前記金属先金４は落下によりチップ小口２ｄの変形が生じないことと、ボールペンリフィル１の出し入れの際の良好な操作性を両立させたものとなっている
【００２６】
ボールペンチップ２は、図２（ａ）から図２（ｂ）そして図２（ｃ）の状態になる間、金属先金４の内面に沿って前後方向に移動する。本願発明のボールペンチップ２はチップ斜面２ｃそしてチップ斜面２ｃとチップストレート部２ｆで作る肩部２ｅが常に金属先金４の内の凹状の曲面部４ｂまたはテーパ部４ｃに接する様になしている。特にボールペンリフィル１収納時は、金属先金４内にある２つのボールペンチップ２の先端と金属先金４の内面は常に近い位置にあるため、金属先金４の内壁と衝突する危険性が類推される。よって本願発明はチップ小口２ｄがボールペンリフィル１の出没時の前後移動の際と収納時にチップ小口２ｄが極力金属先金４の内面と衝突しない様に金属先金４の内面構造を創意工夫したものである。
【００２７】
次にチップ小口２ｄに打痕が付く現象を説明する。図３は、従来の金属先金５である。収納された２本のボールペンリフィル１が先端から同位置に並んで待機している状態である。金属先金５は、繰出し動作でボールペンチップ２がスムースに金属先金５の先端孔５ｄからチップが出るようになるべくボールペンチップ２と金属先金５内面の間に隙間５ａを設けていた。
第一は横向きに落下した時に関して説明する。ボールペンリフィル１は後端部５ｂが前記繰出し機構に固定されている。その後端部５ｂは、ボールペンリフィル１先端から６０〜７０ミリ後方であり、ボールペンチップ２は金属先金５の内側空間に宙に浮いた状態である。よって落下の衝撃により落下方向にボールペンチップ２が金属先金５の内側曲面５ｂの方向に移動し、その結果チップ小口２ｄが内側曲面５ｂに衝突してしまう。本願発明の様に垂直の壁部４ａ、凹状の曲面部４ｂ、テーパ部４ｃを形成しないため変曲点４ｅがなく、チップ小口２ｄが金属先金５の内面に衝突する。そのためチップ小口２ｄに打痕が付いてしまうものである。
【００２８】
第二は下向きに落下した時に関して説明する。従来の多芯筆記具のボールペンリフィル１は、後方の繰出し機構に固定されているが、ボールペンリフィル１を収納するためにバネ部品で後方に付勢されている。そのバネ荷重は９０ｇである。バネ部品のバネ荷重は、４０ｇ〜１５０ｇの範囲が好ましい。前記バネ荷重が４０ｇより軽いとボールペンリフィル１の後退速度が遅くなる。ボールペンリフィル１の後退速度が遅くなると、前進するボールペンリフィル１と後退するボールペンリフィル１のチップ２同士が金属先金内にはまり込んで動かなくなることがある。また前記バネ荷重が１５０ｇより大きいとボールペンリフィル１の後退速度が速くなる。ボールペンリフィル１の後退速度が速くなるとボールペンリフィル１の後端５ｅが繰出し機構内に勢い良く衝突する。その衝突の衝撃によりボールペンリフィル１のインキが後退し、筆記不能になったりすることがある。よって下向きに落下した時に、ボールペンリフィル１は落下の衝撃により後方へ付勢しているバネ荷重に抗して下方へ移動し、結果チップ小口２ｄは、従来の金属先金５の先端側内面５ｃに衝突してしまう。本願発明の様に垂直の壁部４ａ、凹状の曲面部４ｂ、テーパ部４ｃを形成しないため変曲点４ｅがなく、チップ小口２ｄが金属先金５の内面に衝突する。そのためチップ小口２ｄに打痕が付いてしまうものである。
これに対し、本願発明は、上述したように、金属先金４の先端側内面をチップ小口２ｄに打痕が付かない形状としているため、インキ漏れや、筆記方向性という不具合を防止できるものである。
【００２９】
以下実施例および比較例で本願発明を説明する。
ただし、金属先金４の形状は一例であり、さまざまな形状が採用できる。以下の説明は金属先金４の全長；１５．２ｍｍ、金属先金４の外径；１０．０ｍｍの時の一例を示す。
【００３０】
筆跡の評価：上質紙を用いる。筆記角度は６０度である。筆記は第一にクリップを上側にして直径約２ｃｍの丸を連続で４丸筆記する。第二にクリップを１２０度左側に回転させ持ちなおし、上の４丸の下に直径約２ｃｍの丸を連続で４丸筆記する。最後にクリップをさらに１２０度左側に回転させ持ちなおし、２段目の４丸の下に直径約２ｃｍの丸を連続で４丸筆記する。合計３段筆記する。次にペンを垂直に立てて、渦巻状に中心から外側に向かって円を書く。目視で筆跡の均一性を確認する。
打痕の確認：チップの先端を２００倍に拡大して観察し、チップ小口の変形の有無を確認する。さらにボールペンリフィルを下向きで垂直にして、４０℃、８０％、４時間の条件で静置し、目視でペン先からのインキ漏れを確認する
【００３１】
（実施例１）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３２】
（実施例２）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３３】
（実施例３）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３４】
（実施例４）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３５】
（実施例５）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３６】
（実施例６）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３７】
（実施例７）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３８】
（実施例８）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００３９】
（実施例９）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価と打痕の確認を行ったところ良好な結果であった。
【００４０】
（比較例１）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価では一方向のカスレが発生し、方向性が確認された。またチップ小口に打痕が確認され、インキ漏れが発生した。
【００４１】
（比較例２）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価では一方向のカスレが発生し、方向性が確認された。またチップ小口に打痕が確認され、インキ漏れが発生した。
【００４２】
（比較例３）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価では一方向のカスレが発生し、方向性が確認された。またチップ小口に打痕が確認され、インキ漏れが発生した。
【００４３】
（比較例４）ぺんてる株式会社製、多機能筆記具（ＢＸＷ１３７５）の金属先金の内面形状を表１のａ〜ｅの寸法とし、ボールペンリフィルをセットし、厚さ３ｍｍの杉板上に、１ｍの高さから、上向き１回、下向き１回、横向き３回の条件で落下試験を行った。筆跡評価では一方向のカスレが発生し、方向性が確認された。またチップ小口に打痕が確認され、インキ漏れが発生した。
【００４４】
【表１】
0006531526.tif 000002
【符号の説明】
【００４５】
１    ボールペンリフィル
２    ボールペンチップ
２ａ  チップ本体
２ｂ  ボール
２ｃ  チップ斜面
２ｄ  チップ小口
２ｅ  チップ肩部
２ｆ  チップストレート部
３    インキ収容部
３ａ  インキ
３ｂ  グリース
４    金属先金
４ａ  垂直の壁部
４ｂ  凹状の曲面部
４ｃ  テーパ部
４ｄ  先端孔
４ｅ  変曲点
４ｆ  先端孔の縁部を円周とする仮想円形面
５    従来の金属先金
５ａ  隙間
５ｂ  内側曲面
５ｃ  先端側内面
５ｄ  先端孔
５ｅ  後端部
６    クリアランス
ａ；垂直の壁の距離
ｂ；凹状の曲面部の先端からの距離
ｃ；凹状の曲面部の半径
ｄ；テーパ角度
ｅ；凹状の曲面部とテーパが作る変曲点の内径    いずれも単位はｍｍ
【図１】
0006531526.tif 000003
【図２】
0006531526.tif 000004
【図３】
0006531526.tif 000005
【図４】
0006531526.tif 000006
【図５】
0006531526.tif 000007
【図６】
0006531526.tif 000008
【図７】
0006531526.tif 000009
【図８】
0006531526.tif 000010